(57)【要約】【課題】一例として、フレキシブルディスプレイの柔軟性による不都合がより生じ難いテレビジョン受像機および電子機器を得る。【解決手段】実施形態にかかるテレビジョン受像機は、ディスプレイと、筐体と、引張部と、を備えた。ディスプレイは、画像を見ることができる前面と当該前面の反対側の後面とを有し、屈曲可能に構成された。筐体は、ディスプレイを支持し、後面を覆う壁部を有した。引張部は、筐体とディスプレイとの間に設けられ、ディスプレイを前面に沿った複数の方向に引っ張って当該ディスプレイに張力を与える。【選択図】図３
2014029426.tif 000002
【特許請求の範囲】
【請求項１】
画像を見ることができる前面と当該前面の反対側の後面とを有した屈曲可能なディスプレイと、
前記ディスプレイを支持し、前記後面を覆う壁部を有した筐体と、
前記筐体と前記ディスプレイとの間に設けられ、前記ディスプレイを前記前面に沿った複数の方向に引っ張って当該ディスプレイに張力を与える引張部と、
を備えた、テレビジョン受像機。
【請求項２】
前記引張部は、前記ディスプレイを当該ディスプレイの中心部から当該中心部を挟んだ両側に引っ張る、請求項１に記載のテレビジョン受像機。
【請求項３】
前記ディスプレイの一方側の端部が前記筐体に支持され、
前記引張部は、前記ディスプレイの他方側の端部を前記一方側の端部とは反対側に引っ張る、請求項１に記載のテレビジョン受像機。
【請求項４】
前記ディスプレイの第一の角部が前記筐体に支持され、
前記引張部は、前記ディスプレイの第二の角部を前記第一の角部とは反対側に引っ張る、請求項３に記載のテレビジョン受像機。
【請求項５】
前記ディスプレイは四角形状に構成され、
前記引張部は、前記ディスプレイの前記第一の角部とは異なる三つの角部をそれぞれ前記第一の角部とは反対側に引っ張る、請求項４に記載のテレビジョン受像機。
【請求項６】
前記第一の角部は、前記ディスプレイの使用状態で上側に位置した、請求項４または５に記載のテレビジョン受像機。
【請求項７】
前記引張部は、前記壁部に設けられた、請求項１〜６のうちいずれか一つに記載のテレビジョン受像機。
【請求項８】
前記引張部によって前記ディスプレイが引っ張られる部位の移動をガイドするガイド部を備えた、請求項１〜７のうちいずれか一つに記載のテレビジョン受像機。
【請求項９】
前記引張部は、前記ディスプレイの複数の部位を引っ張る引張部材を有した、請求項１〜８のうちいずれか一つに記載のテレビジョン受像機。
【請求項１０】
前記引張部の少なくとも一部と前記ディスプレイの少なくとも一部とが、当該ディスプレイの厚さ方向に重なった、請求項１〜９のうちいずれか一つに記載のテレビジョン受像機。
【請求項１１】
画像を見ることができる前面と当該前面の反対側の後面とを有した屈曲可能なディスプレイと、
前記ディスプレイを支持し、前記後面を覆う壁部を有した筐体と、
前記筐体と前記ディスプレイとの間に設けられ、前記ディスプレイを前記前面に沿った複数の方向に引っ張って当該ディスプレイに張力を与える引張部と、
を備えた、電子機器。
【請求項１２】
画像を見ることができる前面と当該前面の反対側の後面とを有した可撓性のディスプレイと、
前記ディスプレイを支持した筐体と、
前記ディスプレイを前記前面に沿った複数の方向に引っ張る引張部と、
を備えた、電子機器。
【発明の詳細な説明】
【技術分野】
【０００１】
本発明の実施形態は、テレビジョン受像機および電子機器に関する。
【背景技術】
【０００２】
従来、フレキシブルディスプレイを有した電子機器が知られている。
【先行技術文献】
【特許文献】
【０００３】
【特許文献１】特開２００７−１２８０７８号公報
【発明の概要】
【発明が解決しようとする課題】
【０００４】
この種の電子機器では、一例としては、フレキシブルディスプレイが弛んだりフレキシブルディスプレイに皺が生じたりしないのが望ましい。
【０００５】
そこで、本発明の実施形態は、一例として、フレキシブルディスプレイの柔軟性による不都合がより生じ難いテレビジョン受像機および電子機器を得ることを目的の一つとする。
【課題を解決するための手段】
【０００６】
本発明の実施形態にかかるテレビジョン受像機は、ディスプレイと、筐体と、引張部と、を備えた。ディスプレイは、画像を見ることができる前面と当該前面の反対側の後面とを有し、屈曲可能に構成された。筐体は、ディスプレイを支持し、後面を覆う壁部を有した。引張部は、筐体とディスプレイとの間に設けられ、ディスプレイを前面に沿った複数の方向に引っ張って当該ディスプレイに張力を与える。
【図面の簡単な説明】
【０００７】
【図１】図１は、第１実施形態にかかるテレビジョン受像機の一例が示された正面図である。
【図２】図２は、第１実施形態にかかるテレビジョン受像機の一例が示された側面図である。
【図３】図３は、第１実施形態にかかるテレビジョン受像機の一例の筐体の内部構造を背面側から見た図である。
【図４】図４は、第２実施形態にかかる電子機器の一例が示された斜視図である。
【図５】図５は、第２実施形態にかかる電子機器の一例の第二の筐体の内部構造を正面側から見た図である。
【図６】図６は、第３実施形態にかかる電子機器の一例の第二の筐体の内部構造を正面側から見た図である。
【図７】図７は、第４実施形態にかかる電子機器の一例の第二の筐体の内部構造を正面側から見た図である。
【図８】図８は、第４実施形態にかかる電子機器の一例の引張部の一部が示された平面図である。
【図９】図９は、図８のIX−IX断面図である。
【図１０】図１０は、実施形態の第１変形例にかかる電子機器の一例の第二の筐体の内部構造の一部を正面側から見た図である。
【図１１】図１１は、実施形態の第２変形例にかかる電子機器の一例の第二の筐体の内部構造の一部を正面側から見た図である。
【図１２】図１２は、実施形態の第２変形例にかかる電子機器の一例のばね部材が示された側面図である。
【図１３】図１３は、実施形態の第３変形例にかかる電子機器の一例の第二の筐体の内部構造の一部を正面側から見た図である。
【図１４】図１４は、実施形態の第３変形例にかかる電子機器の一例のばね部材が示された側面図である。
【図１５】図１５は、実施形態の第３変形例にかかる電子機器の一例のばね部材が示された平面図である。
【図１６】図１６は、実施形態の第４変形例にかかる電子機器の一例の第二の筐体の内部構造の一部を正面側から見た図である。
【図１７】図１７は、実施形態の第４変形例にかかる電子機器の一例の引張部材と第二の筐体との組み立てが示された説明図である。
【図１８】図１８は、実施形態の第４変形例にかかる電子機器の一例の引張部材が示された斜視図である。
【図１９】図１９は、実施形態の第５変形例にかかる電子機器の一例の引張部材が示された斜視図である。
【図２０】図２０は、実施形態の第５変形例にかかる電子機器の一例の引張部材および第二の筐体の断面図である。
【図２１】図２１は、実施形態の第６変形例にかかる電子機器の一例の引張部材が示された斜視図である。
【図２２】図２２は、実施形態の第７変形例にかかる電子機器の一例の第二の筐体の内部構造の一部を正面側から見た図である。
【図２３】図２３は、図２２のXXIII−XXIII断面が示された模式図である。
【図２４】図２４は、実施形態の第７変形例にかかる電子機器の一例の弾性体が示された平面図である。
【図２５】図２５は、実施形態の第８変形例にかかる電子機器の一例の第二の筐体の内部構造の一部の斜視図である。
【図２６】図２６は、実施形態の第９変形例にかかる電子機器の一例の第二の筐体の内部構造の一部を背面側から見た図である。
【図２７】図２７は、図２６のXXVII−XXVII断面が示された模式図である。
【発明を実施するための形態】
【０００８】
以下の例示的な実施形態や変形例には、同様の構成要素が含まれている。よって、以下では、同様の構成要素には共通の符号が付されるとともに、重複する説明が省略される。
【０００９】
また、以下の実施形態や変形例では、電子機器がテレビジョン受像機またはパーソナルコンピュータとして構成された場合が例示されるが、本実施形態にかかる電子機器は、これには限定されない。本実施形態にかかる電子機器は、携帯電話機や、スマートフォン、ＰＤＡ（personal digital assistant）、事務機器、電子辞書装置、ゲーム装置、映像表示装置、映像再生装置等として構成することができる。
【００１０】
＜第１実施形態＞
本実施形態では、一例として、図１，２に示されるように、電子機器の一例であるテレビジョン受像機１Ａは、支持部２Ａ（支部、台、スタンド）と、筐体３Ａとを備える。具体的に、支持部２Ａは、机や、棚、台等の載置部（載置面、図示されず）上に載置され、筐体３Ａを起立された状態に支持する。支持部２Ａは、筐体３Ａを固定的に支持してもよいし、移動可能（回動可能、スライド可能）に支持してもよい。筐体３Ａの支持部２Ａに対する移動形態（回動形態）としては、例えばチルトや、スイベル、ピボット等がある。
【００１１】
また、本実施形態では、一例として、図１に示されるように、筐体３Ａは、その厚さ方向の視線（正面視および背面視）では四角形状（本実施形態では、一例として長方形状）の外観を呈している。また、図２に示されるように、筐体３Ａは、厚さ方向（前後方向）に薄い偏平な直方体状に構成されている。筐体３Ａは、面３ａ（正面、前面、面部）とその反対側の面３ｂ（背面、後面、面部）と、を有する。面３ａおよび面３ｂは、いずれも厚さ方向と交叉する方向（本実施形態では、一例として直交する方向）に沿って延びている（拡がっている）。面３ａと面３ｂとは略平行である。また、図１に示されるように、筐体３Ａは、正面視（または背面視）では、四つの端部３ｃ〜３ｆ（辺部、縁部）と、四つの角部３ｇ〜３ｊ（尖部、曲部、端部）と、を有する。また、端部３ｃ，３ｅは、長辺部の一例である。端部３ｄ，３ｆは、短辺部の一例である。筐体３Ａは、一例としては、部品（図示されず）を収容する収容部として機能するとともに、重量物（回路基板や部品等）を支える支部としても機能することができる。
【００１２】
また、筐体３Ａは、面３ａを有する壁部３ｋ（部分、プレート、フレーム、前壁部、表壁部、天壁部）と、面３ｂを有する壁部３ｍ（部分、プレート、後壁部、裏壁部、底壁部）と、を有する。壁部３ｋ，３ｍは、厚さ方向の視線（平面視）では四角形状（本実施形態では、一例として長方形状）の外観を呈する。また、壁部３ｋは枠状であり、壁部３ｍは板状である。また、筐体３Ａは、壁部３ｋと壁部３ｍとの間に亘った面３ｐ（側面、周面）を有する四つの壁部３ｎ（部分、プレート、側壁部、端壁部、立壁部、亘部）を有する。壁部３ｋには、四角形状の開口部３ｒが設けられている。
【００１３】
また、筐体３Ａの内部には、空間（図示されず）が設けられている。当該空間は、壁部３ｋ，３ｍ，３ｎによって囲まれ、壁部３ｋと壁部３ｍとの間に位置され、端部３ｃと端部３ｅとの間に亘り、端部３ｄと端部３ｆとの間に亘っている。この空間の内部には、例えば、バッテリや、基板（回路基板、制御基板、サブ基板）、各種モジュール、ＯＤＤ（optical disk drive）、ＨＤＤ（hard disk drive）、ＳＳＤ（solid state drive）、アンテナ、カメラモジュール、スピーカユニット、コネクタユニット、操作部ユニット（スイッチ）、センサユニット等の各種部品が、収容されることができる。
【００１４】
また、空間内に設けられる基板には、例えば、ＣＰＵ（central processing unit）や、グラフィックコントローラ、電源回路部品、ＰＣＨ（platform controller hub）、メモリスロットコネクタ、ＬＣＤコネクタ、Ｉ／Ｏ（input/output）コネクタ、電源コイル、素子、コネクタ等の複数の部品（図示されず）を実装することができる。また、制御回路は、例えば、映像信号処理回路や、チューナ部、ＨＤＭＩ（high-definition multimedia interface）信号処理部、ＡＶ（audio video）入力端子、リモコン信号受信部、制御部、セレクタ、オンスクリーンディスプレイインタフェース、記憶部（例えば、ＲＯＭ（read only memory）、ＲＡＭ（random access memory）、ＨＤＤ（hard disk drive）、ＳＳＤ（solid state drive）等）、音声信号処理回路等を、含むことができる。制御回路は、ディスプレイ４の表示画面（面４ａ）での映像（動画や静止画等）の出力や、スピーカ（図示されず）での音声の出力、ＬＥＤ（light emitting diode、図示されず）での発光等を制御する。ディスプレイ４や、スピーカ、ＬＥＤ等は、出力部の一例である。
【００１５】
さらに、筐体３Ａは、複数の部品（分割体、部材）が組み合わせられて構成されることができる。筐体３Ａは、一例としては、少なくとも壁部３ｋを含む部材３１（前側部材、マスク、マスク部、カバー、フロントカバー、カバー部、ベゼル、フレーム、部分、領域）と、少なくとも壁部３ｍを含む部材３２（後側部材、ベース、ベース部、ボトム、ボトム部、カバー、リヤカバー、カバー部、部分、領域）とを有する。また、壁部３ｎは、本実施形態では、一例として、部材３２の一部として構成されている。なお、筐体３Ａは、部材３１および部材３２とは別の部材（中間部材、隔部材、障壁部材、壁部材、介在部材、覆部材、インナプレート、ミドルプレート、ミドルフレーム、シールド、部分、領域、図示されず）を備えることができる。別の部材の一部が、壁部３ｋ，３ｍ，３ｎの一部を構成することができる。部材３１や、部材３２、別の部材等は、それぞれ、金属材料や合成樹脂材料等で構成されることができる。また、部材３１および部材３２は、同じ材料で構成されることができるし、それぞれ部分的に異なる材料を含むことができる。なお、部材３１や部材３２の筐体３Ａ内側には、リブ等の壁部（突出部、突出壁部、図示されず）が設けられることができる。これら壁部により、筐体３Ａの剛性が高まりやすい。
【００１６】
ディスプレイ４（表示部、表示装置、部品）は、本実施形態では、一例として、可撓性で、柔軟で、屈曲可能で、薄く、かつシート状（膜状）である。ディスプレイ４は、例えば、ＬＣＤ（liquid crystal display）やＯＥＬＤ（organic electroluminescent display）等である。ディスプレイ４は、厚さ方向の視線（平面視）で四角形状（本実施形態では、一例として長方形状）に構成されている。ディスプレイ４は、画像を見ることができる面４ａ（前面、正面、上面、表面、表示面、表示画面）とその反対側の面４ｂ（後面、背面、下面、裏面）とを有する。また、ディスプレイ４は、平面視では、四つの端部４ｃ〜４ｆ（辺部、縁部）と、四つの角部４ｇ〜４ｊ（尖部、曲部、端部）と、を有する。端部４ｃ，４ｅは、長辺部の一例である。また、端部４ｄ，４ｆは、短辺部の一例である。なお、ディスプレイ４の周縁部（端部４ｃ〜４ｆ）には、帯状の非表示領域４ｐが設けられている。
【００１７】
また、本実施形態では、一例として、ディスプレイ４には、タッチセンサ（図示されず）が設けられている。タッチセンサは、無色透明であり、ディスプレイ４を構成する層内あるいはディスプレイ４の面４ａを覆う層に位置されることができる。
【００１８】
ディスプレイ４は、可撓性を有しているため、弛んだり皺が生じたりしやすい。そこで、本実施形態では、一例として、引張部１０Ａによって筐体３Ａに対してディスプレイ４をその面４ａ（または面４ｂ）に沿った方向に引っ張っている。本実施形態では、一例として、図３に示されるように、引張部１０Ａは、部材３１（例えば、壁部３ｋや壁部３ｎ等）に固定されている。引張部１０Ａは、ばね部材１１（引張部材）や、接続部１２，１３を有する。図３の例では、ばね部材１１は、一例として、弾性変形可能な棒状あるいは線状の部材として構成されている。ばね部材１１は、一例としては、ステンレス鋼線やピアノ線等で構成されることができる。ばね部材１１の長手方向の一方側の端部１１ａは、接続部１３を介してディスプレイ４の角部４ｇ，４ｊに固定（支持）され、ばね部材１１の長手方向の他方側の端部１１ｂは、接続部１３を介してディスプレイ４の角部４ｈ，４ｉに接続（結合、固定）されている。そして、ばね部材１１の長手方向の中間部分１１ｃは、接続部１２を介して部材３１（筐体３Ａ）に接続（結合、固定）されている。ばね部材１１は、外力を加えない自由状態では、筐体３Ａの端部３ｄ，３ｆに沿って直線状に延びている。ばね部材１１の端部１１ａ，１１ｂは、それぞれ壁部３ｋに沿って（すなわち、面４ａ，４ｂに沿って）ディスプレイ４の中心Ｃ（中心部）側に向けて弾性的に屈曲された状態で、接続部１３に接続されている。よって、ばね部材１１の端部１１ａ，１１ｂから、ディスプレイ４の角部４ｇ〜４ｊには、端部１１ａ，１１ｂが元の延びた状態（自由状態）での位置（端部３ｄ，３ｆに近い位置）に戻る方向に向けて弾性力（復元力）が作用する。さらに、図３に示されるように、本実施形態では、一例として、端部１１ａ，１１ｂが接続部１３に接続された状態では、端部１１ａ，１１ｂでのばね部材１１の延びる方向（接線方向）と、中心Ｃと各接続部１３とを結ぶ線が延びる方向とが、互いにほぼ直交するように構成されている。したがって、ディスプレイ４の四つの角部４ｇ〜４ｊには、中心Ｃから角部４ｇ〜４ｊに向かう線Ｌに沿った放射状の四つの力が作用する。なお、各角部４ｇ〜４ｊに作用する四つの力の大きさは、ほぼ同じである。よって、本実施形態では、一例として、ディスプレイ４の面４ａ，４ｂには引張部１０Ａからの外力に応じた張力が与えられる。よって、一例としては、ディスプレイ４は弛み難くなり、ディスプレイ４には皺が生じ難くなる。
【００１９】
以上、説明したように、本実施形態では、一例として、テレビジョン受像機１Ａは、筐体３Ａとディスプレイ４との間に設けられ、ディスプレイ４を面４ａ（または面４ｂ）に沿った複数の方向に引っ張って当該ディスプレイ４に張力を与える引張部１０Ａを備えている。よって、本実施形態によれば、一例としては、ディスプレイ４は弛み難くなり、ディスプレイ４（の面４ａ，４ｂ）には皺が生じ難くなる。例えば、環境の温度差や、筐体３Ａ内での部品の発熱が生じた場合等において、ディスプレイ４と筐体３Ａとの間で熱膨張率（線膨張率、体積膨張率）の差があると、ディスプレイ４が弛んだり、ディスプレイ４に皺が生じたりする虞がある。本実施形態にかかるテレビジョン受像機１Ａによれば、引張部１０Ａを含む構成を有しているため、このような場合にあっても、ディスプレイ４の弛みや、皺が抑制されやすい。なお、「引っ張る」とは、ディスプレイ４に張力を与えることを意味し、引張部１０Ａのディスプレイ４に対する力の与え方を意味するものではない。すなわち、引張部１０Ａの動き自体は縮みや圧縮等であってもよい。また、引張部１０Ａは、部材３１とは別の部材（部材３２や、部材３１と部材３２との間に設けられた別の部材（図示されず））に設けられることができる。
【００２０】
また、本実施形態では、一例として、引張部１０Ａは、ディスプレイ４を当該ディスプレイ４の中心Ｃ（中心部）から当該中心Ｃを挟んだ両側に引っ張っている。また、引張部１０Ａは、ディスプレイ４を、中心Ｃから放射状に延びた複数の方向に引っ張っている。よって、本実施形態によれば、一例としては、中心Ｃを挟んだ両側、あるいは中心Ｃから放射状に延びた複数の方向に引っ張らない場合に比べて、ディスプレイ４はより弛み難くなり、ディスプレイ４にはより皺が生じ難くなる。なお、本実施形態では、引張部１０Ａがディスプレイ４を中心Ｃを挟んで一直線上の相反する方向に引っ張る構成が例示されたが、各位置での引張方向が必ず一直線上にある必要はない。
【００２１】
また、本実施形態では、一例として、テレビジョン受像機１Ａでは、図３で左側の引張部１０Ａが、複数（本実施形態では、一例として二つ）の角部４ｇ，４ｈ（端部、作用点）で共用されてそれら角部４ｇ，４ｈに力を加えるとともに、図３で右側の引張部１０Ａが、複数（本実施形態では、一例として二つ）の角部４ｉ，４ｊで共用されてそれら角部４ｉ，４ｊに力を加える。よって、本実施形態によれば、一例としては、角部４ｇ〜４ｊのそれぞれに対応した引張部１０Ａを備えた場合に比べて、部品点数が減りやすい。よって、一例としては、製造の手間やコストが減りやすい。
【００２２】
＜第２実施形態＞
本実施形態では、一例として、図４に示されるように、電子機器１Ｂは、例えば、所謂ノートブック型（クラムシェル型）のパーソナルコンピュータである。電子機器１Ｂは、筐体２Ｂ（第二の筐体、第二の部分）と筐体３Ｂ（第一の筐体、第一の部分）とを備える。筐体３Ｂには、基板１７が収容されている。筐体２Ｂには、可撓性のディスプレイ４の少なくとも一部が収容されている。筐体３Ｂには、キーボード６（入力操作部、入力受付部、入力部）や、タッチパッド７（入力操作部、入力受付部、入力部）、クリックボタン８（入力操作部、入力受付部、入力部）等が設けられる。
【００２３】
筐体２Ｂと筐体３Ｂとは、ヒンジ部９（接続部、連結部、回動支持部、ヒンジ機構、接続機構、連結機構、回動支持機構）によって回動可能に接続されている。筐体２Ｂおよび筐体３Ｂは、ヒンジ部９により、少なくとも図４に示される展開状態と、図示されない折り畳み状態との間で回動可能に接続されている。本実施形態では、一例として、ヒンジ部９は、筐体２Ｂと筐体３Ｂとを、回動軸Ａｘ回りに回動可能に、接続している。ディスプレイ４の面４ａは、筐体２Ｂの面２ａ（正面、前面、面部）に設けられた開口部２ｒから露出している。また、キーボード６や、タッチパッド７、クリックボタン８等は、筐体３Ｂの面３ａ（正面、上面、面部）に露出している。折り畳み状態では、筐体２Ｂの面２ａと筐体３Ｂの面３ａとが重なり、面４ａや、キーボード６、タッチパッド７、クリックボタン８等が、筐体２Ｂおよび筐体３Ｂに隠される。展開状態では、筐体２Ｂの面２ａおよび筐体３Ｂの面３ａが露出され、面４ａや、キーボード６、タッチパッド７、クリックボタン８等が使用可能（視認可能あるいは操作可能）になる。なお、図４では、キーボード６のキーは一部のみ示されている。
【００２４】
筐体２Ｂは、本実施形態では、一例として、図４からわかるように、その厚さ方向の視線（正面視および背面視）では四角形状（本実施形態では、一例として長方形状）の外観を呈している。また、筐体２Ｂは、本実施形態では、一例として、前後方向（筐体２Ｂの厚さ方向）に薄い扁平な直方体状に構成されている。筐体２Ｂは、面２ａとこの反対側の面２ｂ（背面、後面、面部）と、を有する。面２ａおよび面２ｂは、いずれも厚さ方向と交叉する方向（本実施形態では、一例として直交する方向）に沿って延びている（拡がっている）。また、筐体２Ｂは、正面視では、四つの端部２ｃ〜２ｆ（辺部、縁部）と、四つの角部２ｇ〜２ｊ（尖部、曲部、端部）と、を有する。端部２ｃ，２ｅは、長辺部の一例である。また、端部２ｄ，２ｆは、短辺部の一例である。
【００２５】
また、筐体２Ｂは、面２ａを有する壁部２ｋ（部分、プレート、フレーム、前壁部、表壁部、天壁部）と、面２ｂを有する壁部２ｍ（部分、プレート、後壁部、裏壁部、底壁部）と、を有する。壁部２ｋ，２ｍは、その厚さ方向の視線（正面視および背面視）では四角形状（本実施形態では、一例として長方形状）の外観を呈している。また、壁部２ｋは枠状であり、壁部２ｍは板状である。また、筐体２Ｂは、壁部２ｋと壁部２ｍとの間に亘った面２ｐ（側面、周面）を有する四つの壁部２ｎ（部分、プレート、側壁部、端壁部、立壁部、亘部）を有する。壁部２ｋには、四角形状の開口部２ｒが設けられている。
【００２６】
さらに、筐体２Ｂは、複数の部品（分割体、部材）が組み合わせられて構成されることができる。筐体２Ｂは、一例としては、少なくとも壁部２ｋを含む部材２１（前側部材、マスク、マスク部、カバー、フロントカバー、カバー部、ベゼル、フレーム、部分、領域）と、少なくとも壁部２ｍを含む部材２２（後側部材、ベース、ベース部、ボトム、ボトム部、カバー、リヤカバー、カバー部、部分、領域）とを有する。また、壁部２ｎは、本実施形態では、一例として、部材２２の一部として構成されている。部材２１や、部材２２等は、それぞれ、金属材料や合成樹脂材料等で構成されることができる。また、部材２１および部材２２は、同じ材料で構成されることができるし、それぞれ部分的に異なる材料を含むことができる。なお、部材２１や部材２２の筐体２Ｂ内側には、リブ等の壁部（突出部、突出壁部、図示されず）が設けられることができる。これら壁部により、筐体２Ｂの剛性が高まりやすい。
【００２７】
一方、筐体３Ｂは、本実施形態では、一例として、図４からわかるように、その厚さ方向の視線（正面視および背面視）では四角形状（本実施形態では、一例として長方形状）の外観を呈している。また、筐体３Ｂは、本実施形態では、一例として、上下方向（筐体３Ｂの厚さ方向、Ｚ方向）に薄い扁平な直方体状に構成されている。筐体３Ｂは、面３ａ（上面、正面、面部）とその反対側の面３ｂ（下面、背面、面部）と、を有する。面３ａおよび面３ｂは、いずれも厚さ方向と交叉する方向（本実施形態では、一例として直交する方向）に沿って延びている（拡がっている）。また、筐体３Ｂは、平面視では、四つの端部３ｃ〜３ｆ（辺部、縁部）と、四つの角部３ｇ〜３ｊ（尖部、曲部、端部）と、を有する。また、端部３ｃ，３ｅは、長辺部の一例である。また、端部３ｄ，３ｆは、短辺部の一例である。筐体３Ｂは、一例としては、基板１７等の部品を収容する収容部として機能するとともに、重量物（部品等）を支える支部としても機能することができる。
【００２８】
また、筐体３Ｂは、面３ａを有する壁部３ｋ（部分、プレート、フレーム、上壁部、表壁部、天壁部）と、面３ｂを有する壁部３ｍ（部分、プレート、下壁部、裏壁部、底壁部）と、を有する。壁部３ｋ，３ｍは、その厚さ方向の視線（正面視および背面視）では四角形状（本実施形態では、一例として長方形状）の外観を呈している。また、壁部３ｋは枠状であり、壁部３ｍは板状である。また、筐体３Ｂは、壁部３ｋと壁部３ｍとの間に亘った面３ｐ（側面、周面）を有する四つの壁部３ｎ（部分、プレート、側壁部、端壁部、立壁部、亘部）を有する。壁部３ｋには、四角形状の開口部３ｒが設けられている。
【００２９】
さらに、筐体３Ｂは、複数の部品（分割体、部材）が組み合わせられて構成されることができる。筐体３Ｂは、一例としては、少なくとも壁部３ｋを含む部材３１（上側部材、マスク、マスク部、カバー、アッパーカバー、カバー部、ベゼル、フレーム、部分、領域）と、少なくとも壁部３ｍを含む部材３２（下側部材、ベース、ベース部、ボトム、ボトム部、カバー、ロワカバー、カバー部、部分、領域）とを有する。また、壁部３ｎは、本実施形態では、一例として、部材３２の一部として構成されている。なお、筐体３Ｂは、部材３１および部材３２とは別の部材（中間部材、隔部材、障壁部材、壁部材、介在部材、覆部材、インナプレート、ミドルプレート、ミドルフレーム、シールド、部分、領域、図示されず）を備えることができる。別の部材の一部が、壁部３ｋ，３ｍ，３ｎの一部を構成することができる。部材３１や、部材３２、別の部材等は、それぞれ、金属材料や合成樹脂材料等で構成されることができる。また、部材３１および部材３２は、同じ材料で構成されることができるし、それぞれ部分的に異なる材料を含むことができる。なお、部材３１や部材３２の筐体３Ｂ内側には、リブ等の壁部（突出部、突出壁部、図示されず）が設けられることができる。これら壁部により、筐体３Ｂの剛性が高まりやすい。
【００３０】
また、本実施形態では、一例として、筐体３Ｂ内の基板１７には、例えば、ＣＰＵ（central processing unit）や、グラフィックコントローラ、電源回路部品、ＰＣＨ（platform controller hub）、メモリスロットコネクタ、ＬＣＤコネクタ、Ｉ／Ｏ（input/output）コネクタ、電源コイル、素子、コネクタ等の複数の部品（図示されず）を実装することができる。また、制御回路は、例えば、映像信号処理回路や、チューナ部、ＨＤＭＩ（high-definition multimedia interface）信号処理部、ＡＶ（audio video）入力端子、リモコン信号受信部、制御部、セレクタ、オンスクリーンディスプレイインタフェース、記憶部（例えば、ＲＯＭ（read only memory）、ＲＡＭ（random access memory）、ＨＤＤ（hard disk drive）、ＳＳＤ（solid state drive）等）、音声信号処理回路等を、含むことができる。制御回路は、ディスプレイ４の面４ａでの映像（動画や静止画等）の出力や、スピーカ（図示されず）での音声の出力、ＬＥＤ（light emitting diode、図示されず）での発光等を制御する。ディスプレイ４や、スピーカ、ＬＥＤ等は、出力部の一例である。
【００３１】
そして、本実施形態でも、一例として、図５に示されるように、筐体２Ｂ内には、上記第１実施形態と同様の構成で、ディスプレイ４が収容されている。すなわち、筐体２Ｂ内には、上記第１実施形態と同様の引張部１０Ｂが設けられ、この引張部１０Ｂにより、ディスプレイ４の四つの角部４ｇ〜４ｊが、放射状に引っ張られている。よって、本実施形態にかかる電子機器１Ｂによっても、上記第１実施形態にかかるテレビジョン受像機１Ａと同様の構成に基づく同様の結果が得られる。
【００３２】
ただし、本実施形態では、一例として、引張部１０Ｂは、筐体２Ｂの壁部２ｍ、すなわち、ディスプレイ４の面４ａとは反対側の壁部２ｍに、設けられている。開口部２ｒの周縁部の幅が狭く設定された場合、壁部２ｋには引張部１０Ｂが設けられ難くなる場合がある。この点、本実施形態では、一例として、面４ａとは反対側に位置され面４ｂを覆う壁部２ｍに引張部１０Ｂが設けられているため、より不都合が少ない。
【００３３】
＜第３実施形態＞
本実施形態にかかる電子機器１Ｃは、上記他の実施形態にかかるテレビジョン受像機１Ａや電子機器１Ｂと同様の構成を備えている。よって、本実施形態にかかる電子機器１Ｃによっても、テレビジョン受像機１Ａや電子機器１Ｂと同様の構成に基づく同様の結果が得られる。
【００３４】
ただし、本実施形態では、筐体２Ｃによるディスプレイ４の支持位置や、引張部１０Ｃからディスプレイ４に加えられる力の作用点の数、方向等が、上記他の実施形態とは相違している。すなわち、本実施形態では、一例として、図６に示されるように、ディスプレイ４の四つの角部４ｇ〜４ｊのうち一つ（本実施形態では、一例として角部４ｊ（第一の角部、端部））が筐体２Ｃに支持され（支持部５）、引張部１０Ｃは、他の三つの角部４ｇ〜４ｉ（第二の角部、端部）を、角部４ｊとは反対側（角部４ｊから離れる方向）に引っ張る。このような構成によっても、ディスプレイ４はより弛み難くなり、ディスプレイ４にはより皺が生じ難くなる。本実施形態によれば、上記他の実施形態に比べて、接続部１３Ｃの数や引張部１０Ｃの数等が減りやすい。よって、一例としては、製造の手間やコストが減りやすい。なお、本実施形態では、角部４ｊが筐体２Ｃに支持され、他の三つの角部４ｇ〜４ｉが引張部１０Ｃによって引っ張られる構成が例示されたが、これには限定されず、端部４ｃ〜４ｆの角部４ｇ〜４ｊ以外の部位が筐体２Ｃに支持され、当該部位とは別の端部４ｃ〜４ｆの部位が引張部１０Ｃによって引っ張られる構成であってもよい。また、ディスプレイ４の複数の位置が筐体２Ｃに支持され（接続され）、引張部１０Ｃが各支持位置に対応した例えば反対側の位置で、当該各支持位置から離れる方向にディスプレイ４を引っ張る構成であってもよい。
【００３５】
また、本実施形態では、一例として、接続部１３Ｃの構造が、上記他の実施形態とは相違している。すなわち、本実施形態では、一例として、図６に示されるように、図６の右上側および右下側の接続部１３Ｃ（接続部材、作用部材、部材、部品）については、ディスプレイ４との接続位置Ｐ１と、ばね部材１１との接続位置Ｐ２とが離間している。よって、これら接続位置Ｐ１，Ｐ２の配置や、当該接続位置Ｐ１，Ｐ２間で亘る亘部１３ａ（延部、アーム部）の長さや方向等のスペックの設定によって、引張力の大きさや方向等をより調整しやすくなる。
【００３６】
また、本実施形態では、一例として、接続部１３Ｃは、引張部１０Ｃによる力が作用する方向と交叉する（本実施形態では、一例として直交する）面部１３ｂ（線部、平坦部）を有している。よって、本実施形態によれば、一例としては、引張部１０Ｃによる力によってディスプレイ４あるいは接続部１３Ｃに作用する面圧がより低くなりやすい。よって、一例としては、ディスプレイ４や接続部１３Ｃの耐久性がより向上しやすい。あるいは、一例としては、引張力をより大きく設定しやすい。なお、本実施形態では、引張部１０Ｃが角部４ｇ〜４ｉ（端部、作用点）毎に設けられた構成が例示されているが、これには限定されず、上記他の実施形態のように、引張部１０Ｃは、複数の角部４ｇ〜４ｊで共用されてもよい。
【００３７】
また、本実施形態では、一例として、図６に示されるように、ディスプレイ４が筐体２Ｃに支持される角部４ｊ（端部）は、ディスプレイ４の使用状態（起立状態）で上側に位置している。ディスプレイ４の起立状態では、ディスプレイ４には重力が作用する。よって、一例としては、筐体２Ｃがディスプレイ４の上側を支持した構造では、ディスプレイ４の重量が張力として作用することができる。よって、一例としては、引張部１０Ｃによる引張力が重力によって減殺されるのが抑制されやすく、ディスプレイ４の張力がより高まりやすい。
【００３８】
＜第４実施形態＞
本実施形態にかかる電子機器１Ｄは、上記他の実施形態にかかるテレビジョン受像機１Ａや電子機器１Ｂ，１Ｃと同様の構成を備えている。よって、本実施形態にかかる電子機器１Ｄによっても、テレビジョン受像機１Ａや電子機器１Ｂ，１Ｃと同様の構成に基づく同様の結果が得られる。
【００３９】
ただし、本実施形態では、図７の右上側および左下側の引張部１０Ｄの構造が、上記他の実施形態とは相違している。すなわち、本実施形態では、一例として、筐体２Ｄには、接続部１３Ｄの移動をガイドするガイド部１４が設けられている。ガイド部１４は、筐体２Ｄの壁部２ｍから筐体２Ｄ内側（壁部２ｋ側、厚さ方向に沿って）に突出した互いに平行な二つの壁部１４ａ（突出部、リブ）を有している。接続部１３Ｄ（接続部材、作用部材、部材、スライダ、可動部）は、二つの壁部１４ａ間に挿入され、二つの壁部１４ａが延びた方向に沿って移動可能に構成される。すなわち、ガイド部１４は、接続部１３Ｄが所定方向以外に移動するのを抑制している。よって、本実施形態によれば、一例としては、ガイド部１４により、接続部１３Ｄが不都合な方向に移動するのが抑制され、ディスプレイ４に作用する力の方向が定まる。よって、一例としては、ディスプレイ４が引張部１０Ｄから不都合な方向に引っ張られて、ディスプレイ４が弛んだりディスプレイ４に皺が生じたりするのが抑制されやすい。
【００４０】
さらに、本実施形態では、一例として、図８，９に示されるように、ばね部材１１と接続部１３Ｄとの間に、ディスプレイ４（筐体２Ｄ）の厚さ方向に沿った軸回りに回動可能（揺動可能）なリンク部材１５が設けられている。リンク部材１５は、ばね部材１１および接続部１３Ｄのそれぞれに回動可能に接続されている。よって、本実施形態によれば、一例としては、接続部１３Ｄの位置によってばね部材１１からディスプレイ４に作用する力の大きさが変化するのが抑制されやすい。
【００４１】
＜第１変形例＞
以下に示される各変形例の構成は、上記各実施形態の対応する構成と置き換えることができる。本変形例では、一例として、図１０に示されるように、ばね部材１１を有した引張部１０Ｅの接続部１２Ｅが、筐体２Ｂ（図４参照）を補強する補強部材１６に支持（接続、固定）されている。補強部材１６（骨格部材、金属部材、部材、フレーム、板金）は、筐体２Ｂ内で当該筐体２Ｂの端部２ｄ，２ｆに位置され、回動軸Ａｘ（図４参照）と交叉する方向（本実施形態では、一例として直交する方向）に沿って（端部２ｄ，２ｆに沿って）帯状（棒状、板状）に延びている。補強部材１６の長手方向の一方側の端部１６ａには、ヒンジ部９（図４参照）の構成部材（図示されず）が接続（結合、固定）される。本変形例によれば、一例としては、引張部１０Ｅが、筐体２Ｂに比較的容易に設けられやすく、より強固に固定されやすい。
【００４２】
＜第２変形例＞
本変形例では、一例として、図１１，１２に示されるように、引張部１０Ｆは、トーションスプリング（ねじりばね）としてのばね部材１１Ｆを有している。ばね部材１１Ｆは、シャフト１１ｄの回りに巻かれている。シャフト１１ｄは、筐体２Ｂの厚さ方向に沿って延びている。ばね部材１１Ｆの一方側の端部１１ａは接続部１３に接続され、他方側の端部１１ｂは筐体２Ｂの突出部２ｔに支持されている（係合されている、引っ掛けられている）。突出部２ｔは、接続部１２Ｆの一例である。ばね部材１１Ｆは、図１１の視線（筐体２Ｂの厚さ方向の視線）で接続部１２Ｆひいてはディスプレイ４の角部４ｇ，４ｈを、図１１の右上側ならびに右下側へ移動する方向に付勢する。本変形例によっても、ばね部材１１Ｆを有した引張部１０Ｆによって、ディスプレイ４に引張力を与えることができる。また、本変形例によれば、引張部１０Ｆをより簡素な構成として実施することができる。
【００４３】
＜第３変形例＞
本変形例では、一例として、図１３〜１５に示されるように、引張部１０Ｇは、トーションスプリング（ねじりばね）としてのばね部材１１Ｇを有している。ばね部材１１Ｇは、シャフト１１ｄの回りに巻かれている。シャフト１１ｄは、筐体２Ｂの厚さ方向に沿って延びている。ばね部材１１Ｇの一方側の端部１１ａは接続部１３に接続され、他方側の端部１１ｂは筐体２Ｂの突出部２ｔに支持されている（係合されている、引っ掛けられている）。突出部２ｔは、接続部１２Ｇの一例である。ばね部材１１Ｇは、図１３の視線（筐体２Ｂの厚さ方向の視線）で接続部１２Ｇひいてはディスプレイ４の角部４ｇ，４ｈを、図１３の右上側ならびに右下側へ移動する方向に付勢する。すなわち、本変形例にかかるばね部材１１Ｇは、第２変形例にかかるばね部材１１Ｆとは初期状態の形状が異なるものの、当該ばね部材１１Ｆと同様の機能を有している。本変形例によっても、ばね部材１１Ｇを有した引張部１０Ｇによって、ディスプレイ４に引張力を与えることができる。また、本変形例によれば、引張部１０Ｇをより簡素な構成として実施することができる。
【００４４】
また、図１０，１１，１３に示される第１〜第３変形例では、引張部１０Ｅ〜１０Ｇの一部が、ディスプレイ４と、筐体２Ｂの厚さ方向（ディスプレイ４の厚さ方向）に部分的に重なっている。よって、一例としては、引張部１０Ｅ〜１０Ｇとディスプレイ４とが重ならない場合に比べて、筐体２Ｂの開口部２ｒと端部２ｃ〜２ｆの最外縁との間の幅がより狭くなりやすい。よって、一例としては、平面視でのディスプレイ４の大きさがより小さくなりやすい。
【００４５】
＜第４変形例＞
本変形例では、一例として、図１６〜１８に示されるように、引張部１０Ｈの接続部１２Ｈは、筐体２Ｂに設けられた結合部１８に圧入されて固定される。接続部１２Ｈは、略一定幅でばね部材１１Ｈの延長線上に沿って延びた細長い直方体状の外観を呈している。結合部１８は、筐体２Ｂの壁部２ｍから筐体２Ｂ内側（壁部３ｋ側、厚さ方向に沿って）に突出した互いに平行な二つの壁部１８ａ（突出部、リブ）を有している。図１７に示されるように、接続部１２Ｈは、結合部１８の開口部１８ｂ側から壁部１８ａ間に圧入される。本変形例によれば、引張部１０Ｈを筐体２Ｂに比較的容易に取り付けることができる。
【００４６】
＜第５変形例＞
本変形例では、一例として、図１９，２０に示されるように、引張部１０Ｉの接続部１２Ｉは、筐体２Ｂに設けられた結合部１８Ｉに圧入されて固定される。接続部１２Ｉは、逆Ｔ字型の断面を有し、ばね部材１１Ｉの延長線上に沿って細長く延びている。結合部１８Ｉの壁部１８ａは、接続部１２Ｉの断面形状に沿った逆Ｌ字状（鉤状）の断面を有している。すなわち、壁部１８ａに引っ掛かることにより、接続部１２Ｉが壁部２ｍから離間する方向に移動するのが抑制されている。本変形例によれば、引張部１０Ｉが筐体２Ｂからより分離しにくくなる。
【００４７】
＜第６変形例＞
本変形例では、一例として、図２１に示されるように、引張部１０Ｊの接続部１２Ｊは、筐体２Ｂに設けられた図１６，１７，２０の結合部１８，１８Ｉと同様の結合部（図示されず）に圧入されて固定される。本変形例では、接続部１２Ｊは、四角形状の断面を有してばね部材１１Ｊの延長線上に沿って延びている。ただし、接続部１２Ｊの圧入の先端側の幅は、基端側の幅より狭く、当該接続部１２Ｊは所謂先細り状の外観を呈している。本変形例によれば、接続部１２Ｊが先細り形状であるため、筐体２Ｂの結合部に比較的容易に挿入されやすい。また、接続部１２Ｊには、筐体２Ｂの厚さ方向に沿った開口部１２ａ（例えば、貫通孔や凹部等）が設けられている。本変形例では、開口部１２ａは、圧入方向の位置決めとして用いられうる。すなわち、本変形例では、接続部１２Ｊが結合部に圧入されることで、引張部１０Ｊが筐体２Ｂに固定されるとともに、圧入作業の工程で、筐体２Ｂに設けられた突起（突出部、図示されず）と開口部１２ａとが引っ掛かることで、接続部１２Ｊが圧入される方向に位置決めされる。本変形例によれば、引張部１０Ｊが筐体２Ｂにより容易にかつより精度良く取り付けられやすい。なお、第４〜第６変形例にかかる引張部１０Ｈ〜１０Ｊの接続部１２Ｈ〜１２Ｊは、筐体２Ｂの結合部１８，１８Ｉが設けられた部位に、接着や、溶着、結合具（ねじ等）等によって固定されることができる。
【００４８】
＜第７変形例＞
本変形例では、一例として、図２２〜２４に示されるように、引張部１０Ｋは、ばね部材に替えてエラストマ１９（弾性部材）を有している。エラストマ１９は、二つの結合部１９ａ（接続部）と、二つの結合部１９ａ間で亘る帯状の亘部１９ｂ（延部、弾性変形部）とを有している。結合部１９ａは、接続部１２Ｋ，１３Ｋに固定される。接続部１２Ｋ，１３Ｋはそれぞれ、厚さ方向に分割されている。分割体１２ｃ，１３ｃ同士が、結合部１９ａを挟んだ状態で一体化されている。結合部１９ａには、貫通孔１９ｃが設けられている。一方の分割体１２ｃ，１３ｃに設けられた突起１２ｄ，１３ｄ（突出部）が貫通孔１９ｃを貫通し、他方の分割体１２ｃ，１３ｃに設けられた孔１２ｅ，１３ｅ（開口部）に圧入されている。接続部１２Ｋは、筐体２Ｂの突起２ｔに支持され、接続部１３Ｋは、接続部１３に接続されている。亘部１９ｂの自由長は、接続部１２Ｋ，１３Ｋ間の距離より短く設定されている。よって、エラストマ１９は、亘部１９ｂが接続部１２Ｋ，１３Ｋ間で弾性的に伸ばされた状態で、取り付けられる。よって、本変形例によっても、エラストマ１９を有した引張部１０Ｋによって、ディスプレイ４に引張力を与えることができる。
【００４９】
＜第８変形例＞
本変形例では、一例として、図２５に示されるように、引張部１０Ｍは、筐体２Ｂの壁部２ｍに一体成形されている。引張部１０Ｍは、接続部１２Ｍと、ばね部１１Ｍ（ばね部材）と、を有する。ばね部１１Ｍは、壁部２ｍと離間した位置で、壁部２ｍに沿って略平行に延びている。引張部１０Ｍは、例えば、筐体２Ｂをダイキャストあるいは射出成形等で形成する場合に、スライド型を用いて壁部２ｍとばね部１１Ｍとの間の隙間を形成することで得られる。本変形例によれば、一例としては、引張部１０Ｍの組み立ての手間が減りやすい。
【００５０】
＜第９変形例＞
本変形例では、一例として、図２６，２７に示されるように、筐体２Ｂの壁部２ｋにディスプレイ４側の接続部１３Ｎの移動をガイドするガイド部１４Ｎが設けられている。ガイド部１４Ｎは、筐体２Ｂの壁部２ｋから筐体２Ｂ内側（壁部２ｍ側、厚さ方向に沿って）に突出した互いに平行な二つの壁部１４ａ（突出部、リブ）を有している。ディスプレイ４に接続された接続部１３Ｎ（接続部材、作用部材、部材、スライダ、可動部）は、二つの壁部１４ａ間に挿入され、二つの壁部１４ａが延びた方向に沿って移動可能に構成される。すなわち、ガイド部１４Ｎは、接続部１３Ｎが所定方向以外に移動するのを抑制している。よって、本変形例によれば、一例としては、ガイド部１４Ｎにより、接続部１３Ｎが不都合な方向に移動するのが抑制され、ディスプレイ４に作用する力の方向が定まる。よって、一例としては、ディスプレイ４が引張部（図示されず）によって不都合な方向に引っ張られて、ディスプレイ４が弛んだりディスプレイ４に皺が生じたりするのが抑制されやすい。
【００５１】
以上、本発明の実施形態を例示したが、上記実施形態および変形例はあくまで一例であって、発明の範囲を限定することは意図していない。これら実施形態や変形例は、その他の様々な形態で実施されることが可能であり、発明の要旨を逸脱しない範囲で、種々の省略、置き換え、組み合わせ、変更を行うことができる。これら実施形態や変形例は、発明の範囲や要旨に含まれるとともに、特許請求の範囲に記載された発明とその均等の範囲に含まれる。また、各実施形態の構成や形状は、部分的に入れ替えて実施することも可能である。また、各構成や形状等のスペック（構造や、種類、方向、形状、大きさ、長さ、幅、厚さ、高さ、数、配置、位置、材質等）は、適宜に変更して実施することができる。
【符号の説明】
【００５２】
１Ａ…テレビジョン受像機、１Ｂ〜１Ｄ…電子機器、２Ｂ〜２Ｄ…筐体、２ｍ…壁部、３Ａ…筐体、３ｍ…壁部、４…ディスプレイ、４ａ…面（前面）、４ｂ…面（後面）、４ｊ…角部（端部、第一の角部）、４ｇ〜４ｉ…角部（第二の角部）、１０Ａ〜１０Ｋ，１０Ｍ…引張部、１１，１１Ｆ〜１１Ｉ…ばね部材、１１Ｍ…ばね部（ばね部材）、Ｃ…中心部（中心）。
【図１】
2014029426.tif 000003
【図２】
2014029426.tif 000004
【図３】
2014029426.tif 000005
【図４】
2014029426.tif 000006
【図５】
2014029426.tif 000007
【図６】
2014029426.tif 000008
【図７】
2014029426.tif 000009
【図８】
2014029426.tif 000010
【図９】
2014029426.tif 000011
【図１０】
2014029426.tif 000012
【図１１】
2014029426.tif 000013
【図１２】
2014029426.tif 000014
【図１３】
2014029426.tif 000015
【図１４】
2014029426.tif 000016
【図１５】
2014029426.tif 000017
【図１６】
2014029426.tif 000018
【図１７】
2014029426.tif 000019
【図１８】
2014029426.tif 000020
【図１９】
2014029426.tif 000021
【図２０】
2014029426.tif 000022
【図２１】
2014029426.tif 000023
【図２２】
2014029426.tif 000024
【図２３】
2014029426.tif 000025
【図２４】
2014029426.tif 000026
【図２５】
2014029426.tif 000027
【図２６】
2014029426.tif 000028
【図２７】
2014029426.tif 000029